(57)【要約】      （修正有）【課題】乳幼児の授乳の際や寝かしつける際に、横抱きにした乳幼児の頭頚部を支える大人の腕との間に介在させる乳幼児用枕を提供する。【解決手段】表側地１及び裏側地２の側縁部を接合してなる長方形筒体を形成し、その長手方向略中央部を接合して左右端部を開放した袋体Ａ、Ｂとし、一方の袋体Ａに綿ａを、他方の袋体Ｂにパイプ状詰め物ｂを夫々詰め込み、裏側地２を内側にして袋体Ａ、Ｂの開放部を接合して環状構造とし、当該環状部を大人の腕通し部とした。【選択図】図２
0003212894.tif 000002
【実用新案登録請求の範囲】
【請求項１】
表側地及び裏側地の側縁部を接合してなる長尺筒体を形成し、当該筒体の長手方向略中央部を接合して左右端部を開放した袋体（Ａ、Ｂ）とし、袋体Ａに綿を、袋体Ｂにパイプ状詰め物を夫々詰め込み、裏側地を内側にして袋体Ａ、Ｂの開放部を接合し、裏側地を内側にして環状部となし、当該環状部を大人の腕通し部としたことを特徴とする乳幼児用枕。
【請求項２】
表側地が吸湿機能を有する請求項１に記載の乳幼児用枕。
【請求項３】
裏側地が排湿機能を有する請求項１に記載の乳幼児用枕。
【請求項４】
表側地が綿素材である請求項１又は２に記載の乳幼児用枕
【請求項５】
表側地がニット地である請求項１乃至４いずれか１に記載の乳幼児用枕。
【請求項６】
表側地がタオル地である請求項１乃至４いずれか１に記載の乳幼児用枕。
【請求項７】
裏側地が通気性メッシュ地である請求項１に記載の乳幼児用枕。
【請求項８】
裏側地がポリエステルメッシュ地である請求項１又は７に記載の乳幼児用枕。
【請求項９】
パイプ状詰め物が、ポリエチレン、ポリプロピレン、ポリエステルの詰め物から選択される請求項１に記載の乳幼児用枕。
【考案の詳細な説明】
【技術分野】
【０００１】
本考案は、授乳時における乳幼児の頭頚部の安定性と就眠を完全に、しかも寝かしつける際に寝具にそのまま寝かすことができる乳幼児用枕に関するものである。特に言えば、乳幼児を抱いて授乳し、又寝かしつける際に乳幼児の頭頚部を支える大人の腕を差込可能とした乳幼児用枕であって、就眠時の熱の発散や発汗に対処したことにより、寝具にそのまま寝かしつけることができる乳幼児用枕に関するものである。
【背景技術】
【０００２】
乳幼児に授乳する際には頭頚部を安定に保つ必要があり、就眠した乳幼児を寝具上に寝かし変えた場合、枕が変わることや揺動により目覚めてしまうことが多い。そして、特に乳幼児の就眠にあっては、頭頚部や手足から熱を発散し多量の発汗を伴うことが多い。
【０００３】
乳幼児を抱いて寝かしつける際に、乳幼児の頭頚部を支える大人の腕側に工夫を凝らした提案はある。例えば大人の腕を通すための筒状体（特許文献１）、枕に腕を通すバンドを備えた構造（特許文献２）、面ファスナーを取り付けて腕に巻きつける腕枕（特許文献３、４）等が提案されている。しかしながら、乳幼児の授乳の際の頭頚部の安定性や、乳幼児が寝入った際に、そのまま枕とし、さらに頭頚部からの熱の発散や多量の発汗を伴う点に配慮した枕は見当たらない。
【先行技術文献】
【特許文献】
【０００４】
【特許文献１】特開２００２−２３５２２０号公報
【特許文献２】実開昭６３−１８５６７１号公報
【特許文献３】実用新案登録第３０４０４５１号公報
【特許文献４】実用新案登録第３１３４７８０号公報
【考案の概要】
【考案が解決しようとする課題】
【０００５】
本考案の枕は乳幼児の授乳時の頭頚部の安定性をもたらし、就眠時にそのまま使用する枕であり、授乳時や就眠時には乳幼児の頭頚部と抱え込んだ腕の間で安定性をもたらす枕として使用し、就眠したらそのままの姿勢を保って寝具上に横たえ、腕を引き抜いて就眠用枕として使用する枕を提供するもので、さらに就眠した乳幼児の頭頚部からの熱や、多量の発汗に対応する枕構造を提供するものである。
【課題を解決するための手段】
【０００６】
考案の要旨は、乳幼児の就眠時に使用する寝かしつけ用の枕であって、表側地及び裏側地の側縁部を縫い合わせてなる長方形筒体を形成し、当該筒体の長手方向略中央部を縫い合わせて左右端部を開放した袋体（Ａ、Ｂ）とし、袋体Ａに綿を、袋体Ｂにパイプ状詰め物を夫々詰め込み、裏側地を内側にして袋体Ａ、Ｂの開放部を縫い合わせて環状構造となし、当該環状部を大人の腕通し部としたことを特徴とする乳幼児用枕を提供するものである。
【考案の効果】
【０００７】
乳幼児を抱いて授乳し、かつこのまま寝かしつける際に、乳幼児の頭頚部を支える枕に形成した腕通し部に大人の腕を通して授乳・就眠させ、寝具に寝かせる際には枕から腕を抜き去るだけでよく、更には、就眠時の乳幼児からの発熱や発汗に対しては、これらの現象に対応して内蔵された材料側を選択して乳幼児の頭頚部と接する側として対応することとなったものである。
【０００８】
即ち、枕の側から見れば、乳幼児の頭頚部を安定するための工夫がされ、かつ発熱や発汗に対し、さらには季節、気温、湿度等の周囲の環境によって乳幼児の頭頚部に接触する枕の詰め物を選択することが可能となったものである。なお、大人の腕が挿入される腕通し部の内側面はメッシュを採用しているため、蒸れにくく、乳幼児からの熱や汗等が枕外に出やすい構造となっている。
【０００９】
なお、後述するように表側地及び裏側地のいずれの接合部位も枕の内側に存在させることによって、傷つきやすい乳幼児の肌に対して優しい構造の枕を提供できたものである。
【図面の簡単な説明】
【００１０】
【図１】図１は本考案の乳幼児用枕の斜視図である。
【図２】図２は図１のＡ−Ａ線での断面図である。
【図３】図３は図１のＢ−Ｂ線での断面図である。
【図４Ａ】図４Ａは本考案の乳幼児用枕の製造工程の一例を示す図である。
【図４Ｂ】図４Ｂは本考案の乳幼児用枕の製造工程の一例を示す図である。
【図４Ｃ】図Ｃは本考案の乳幼児用枕の製造工程の一例を示す図である。
【図４Ｄ】図Ｄは本考案の乳幼児用枕の製造工程の一例を示す図である。
【図４Ｅ】図Ｅは本考案の乳幼児用枕の製造工程の一例を示す図である。
【考案を実施するための形態】
【００１１】
以下、考案を実施するための形態を説明するが、表側地としては吸湿機能を有する綿素材が好ましく、例えば綿１００％のニット地であり、厚手のタオル地も使用可能である。裏側地としては、排湿機能を有する例えばポリエステル１００％からなる通気性メッシュがある。表側地と裏側地との接合はミシン等にて縫合するのが一般的であるが、ホットメルト法による接合手段もとられ得る。
【００１２】
パイプ状詰め物として、ポリエチレン、ポリプロピレン、ポリエステルの通気性の樹脂性パイプから選択され、通常は直径２〜７ｍｍ、長さ４〜９ｍｍ、肉厚０．２〜０．５ｍｍの詰め物が選択される。
【００１３】
図１は本考案の乳幼児用枕の１例を示す斜視図であり、図２はそのＡ−Ａ線での断面図であり、図３はＢ−Ｂ線での断面図である。かかる枕２０は大別して袋体Ａ、Ｂとその間に腕通し部１２とからなっている。袋体Ａ、Ｂは、外側の表側地１と裏側地２から構成され、袋体Ａには綿ａを、袋体Ｂには微細なパイプ状詰め物ｂを夫々詰め込み、袋体Ａ、Ｂの開放部を一体に縫合１０して枕中央に環状部１１を形成し、この環状部１１を裏返し、裏側地２を内側にすると共に縫合部位１０を内側にして縫合部１０の裏線１０ａを表として腕通し部１２を形成した乳幼児用枕である。図中、５ａは表側地１と裏側地２の両側縁部３、４を縫合した部位の裏線部、７は表側地１と裏側地２の中央部の縫合部位である。
【００１４】
即ち、直接乳幼児の頭頚部に触れる部分には、柔らかで吸湿性の良い綿素材を使用し、内部の詰め物は吸湿性の良い綿素材と多量の汗に対応できるパイプ状詰め物とを使用しているので、乳幼児の各状態に対応できる構造としている。
【００１５】
さらに言えば、吸湿性の詰め物に含まれた湿気をパイプ状詰め物に向って発散させることとなるが、上記した微細なパイプ状詰め物は全体として表面積が大きく、かつ空気の流通効果に優れることと、乳幼児の頭頚部の動きに伴って詰め物全体が簡単に移動・変形し、これによってパイプ内の湿気を外に追い出すポンプ効果が期待でき、汗からの湿気を迅速に外気に発散することができる。
【００１６】
腕通し部１２は乳幼児に授乳する際や寝かしつける際に腕を通して横抱きにする際の大人の腕を通す部分で、乳幼児が寝入った際には寝具上に乳幼児を寝かしつけると共にここから腕を抜き去るものである。乳幼児は抱かれている状態から寝具の上に寝かされるまで頭頚部と枕とは接している状態を保持しているので、そのまま就眠状態を継続しこれを妨げるおそれはない。なお、大人の腕に接触する腕通し部１２の表面を構成する裏面地２は通気性メッシュであり、乳幼児を抱いている腕からの発汗も抑制されることになる。
【００１７】
なお、図にあって、枕に乳幼児の頭頚部に適合する（半）円形状の縫合線１３を表側地１と裏側地２間で形成しておくと乳幼児の頭頚部の安定性をさらに保つことができる。
【００１８】
次に、本考案の枕の好ましい製法を開示する。即ち、表側地及び裏側地の側縁部を接合して長尺筒体を形成する第１工程、当該長尺筒体を裏返し前記接合部を内側にする第２工程、長尺筒体の長手方向中央部を接合して左右端部を開放した袋体（Ａ、Ｂ）を構成する第３工程、袋体Ａに綿ａを、袋体Ｂにパイプ状詰め物ｂを夫々詰め込む第４工程、裏側地を外側面として袋体Ａ、Ｂの開放部を接合し環状部を形成する第５工程、裏側地を内側に裏返し当該環状部を大人の腕通し部とする第６工程、とからなる乳幼児用枕の製法である。
【００１９】
図４はかかる製法の略工程を示すものであり、図４・第１工程にあって、符号１は長尺の表側地であり、符号２は表側地１と略同形の裏側地である。そして、この両側地１、２を重ね合わせ、その長手方向の両側縁部３，４を縫合５して長尺筒体６を形成する。
【００２０】
図４・第２工程にあって、長尺筒体６を裏返して前記縫合部５を内側にした新たな長尺筒体６ａとする。この工程は縫合部５を枕の外側に出さないための工程であり、これによって乳幼児の肌に優しい枕となるものである。符号５ａは縫合部５の裏線である。
【００２１】
図４・第３工程にあって、裏返された長尺筒体６ａの長手方向中央部を縫合７して左右端部８、９を開放部とした袋体Ａ、Ｂを構成する。
【００２２】
図４・第４工程にあって、袋体Ａに綿ａを、袋体Ｂにパイプ状詰め物ｂを夫々詰め込む。
【００２３】
図４・第５工程にあって、裏側地２を外側部位として袋体Ａ、Ｂの開放部８，９を縫合１０し環状構造１１を形成する。
【００２４】
図４・第６工程にあって、裏側地２を内側になるように環状構造１１を裏返し、大人の腕通し部１２とする。かかる工程は表側地１を枕の外側に出し、かつ縫合部１０を枕の外側に出さないための工程であり、これによって乳幼児の肌に優しい枕２０となる。
ここで図１~図３に示すような幼児用間枕２０が得られることとなる。
【産業上の利用可能性】
【００２５】
上記したように、本考案の乳幼児用枕は、授乳時には安定性を、そして腕に抱かれたままで寝入った乳幼児を寝かす際には腕を抜き去るだけでそのまま枕となり、乳幼児の頭頚部と枕とが接触する状態を保つこととなり、環境変化による覚醒を防止できることとなった。そして、乳幼児の頭頚部に触れる部分には、吸湿性の良い綿素材を使用し、かつ多量の発汗に対応できる詰め物を使用しているので、乳幼児の発汗等に対する対策は充分であり、その価値は極めて高い。
【符号の説明】
【００２６】
１  表側地
２  裏側地
３、４  両側縁部
５  (接合)縫合部
５ａ  縫合部５の裏線
６、６ａ  長尺筒体
７  縫合部
８、９  開放部
１０  ８、９の縫合部
１０ａ  縫合部１０の裏線
Ａ、Ｂ  袋体
ａ、詰め物（綿）
ｂ  詰め物（パイプ状詰め物）
１１  環状構造
１２  腕通し部
１３  （半）円形状縫合部
２０  本考案の幼児用枕
【図１】
0003212894.tif 000003
【図２】
0003212894.tif 000004
【図３】
0003212894.tif 000005
【図４Ａ】
0003212894.tif 000006
【図４Ｂ】
0003212894.tif 000007
【図４Ｃ】
0003212894.tif 000008
【図４Ｄ】
0003212894.tif 000009
【図４Ｅ】
0003212894.tif 000010